(57)【要約】      （修正有）【課題】電熱器の容量を大きくすることなく、熱効率の改善によって蒸気速度を向上させ、おしぼり蒸しあがり時間を短縮する。【解決手段】おしぼりの収容部の下部の設けられた貯水室内に、一部連通孔を有する断熱壁によって取り囲まれた電熱器を配設した沸騰室を設ける。電熱器の発熱部の全表面から熱が水に直接伝わるので、熱の散逸は少なく、伝熱抵抗も小さくなり、熱効率は向上する。【選択図】図１
0003105292.tif 000002
【実用新案登録請求の範囲】
【請求項１】
加湿、加温すべきおしぼりを収容した収容部に加熱水蒸気を供給し、この水蒸気にさらして上記おしぼりを加熱するおしぼり蒸し器において、上記収容部の下部の設けられた貯水室内に、一部連通孔を有する断熱壁によって取り囲まれた電熱器を配設した沸騰室を設けことを特徴とするおしぼり蒸し器。
【請求項２】
上記貯水室の水位によって上下するフロートを設け、上記フロートに上記フロートの適宜な高さで上記電熱器を制御する器具を設けたことを特徴とする請求項１記載のおしぼり蒸し器。
【考案の詳細な説明】
【技術分野】
【０００１】  本考案は、蒸気を用いて容器に収容された収容物を加湿・加温する装置において、特に飲食店や病院等で配るおしぼりを効率良く熱消毒する比較的小型のおしぼり蒸し器に関するものである。
【背景技術】
【０００２】  湿式加温装置は、水蒸気を利用して容器内の収容物を加温する装置であり、特におしぼり又はタオル（以下、おしぼりで代表する。）を加湿するのに適している。従来のおしぼり用湿式加温装置すなわちおしぼり蒸し器は、おしぼりを収容する収容部の下部に貯水部を備え、この貯水部の上方に被加湿物であるおしぼりを収容させ、この収容部を内部圧が高圧にならないように適宜な蒸気抜きを具備させてほぼ密閉し、上記貯水部の水を加熱して蒸気を発生させ、おしぼりを蒸すことによって加温するものである。【０００３】  すなわち従来のおしぼり蒸し器を図６及び図７に示す。図６は従来の装置の正面断面図、図７は図６のＶＩＩ−ＶＩＩ矢視断面図である。図６及び図７で示すように、装置の内部は、蒸し室２、貯水室５及び沸騰室６の３区画に分かれている。蒸し室２の上方を蓋３で覆い、下方は多孔板４によって仕切られている。多孔板４の下には貯水室５、沸騰室６の２区画があり、両者は連通管８によってつながっている。沸騰室底板６ｂには電熱器７の上面が密着している。【０００４】  このように構成されたおしぼり蒸し器において、まず、蓋３を開き、多孔板４を取り除いて、上方から所定量の水を注入する。その水は貫通孔５ｃから落下して貯水室５、連通管８と沸騰室６に流入する。
次に、多孔板４を所定位置に置き、その上におしぼり１、１、・・・を並べ、蓋３を閉じて、電熱器７に通電し発熱させる。電熱器７の熱は、その上面から沸騰室底板６ｂを経て、沸騰室６の水を加熱蒸発させる。その水蒸気は多数の貫通孔４ａ、４ａ、・・・を通って蒸し室２に入り、そこに並んでいるおしぼり１、１、・・・を蒸す。
沸騰室６の水が蒸発すると、貯水室５と沸騰室６との水位を同一にするべく、連通管８を通って貯水室５の水が沸騰室６に移動し補給される。電熱器７は沸騰室６の少量の水だけを加熱するので蒸発発生は迅速に行われ、蒸し室２への蒸気の供給もすみやかである。【０００５】  このような従来のおしぼり蒸し器では、電熱器７を沸騰室６の外部に取り付けているので、次の理由によって熱効率が低く、おしぼりの蒸しあがり時間が長くかかるという欠点がある。
１）  電熱器７の上面の他からは、熱が空中に散逸し有効利用されない。
２）  電熱器７の上面と沸騰室底板６ｂの下面との接触面に大きな伝熱抵抗がある。
【考案の開示】
【考案が解決しようとする課題】
【０００６】  本考案は、おしぼり蒸し器の電熱器７の上面の他から空中に散逸し有効利用されない熱を有効利用するとともに電熱器７の上面と沸騰室底板６ｂの下面との接触面にある大きな伝熱抵抗を減少させて、電熱器７の容量を大きくすることなく、熱効率の改善によって蒸気速度を向上させ、おしぼり蒸しあがり時間を短縮し、従来のおしぼり器の欠点を解消しようとするものである。
【課題を解決するための手段】
【０００７】  本考案の特徴は、
１）電熱器を沸騰室内の水領域に配置したこと
２）断熱壁によって電熱器を取り囲み、この内側の区画を沸騰室としたことであり、すなわち加湿、加温すべきおしぼりを収容した収容部に加熱水蒸気を供給し、この水蒸気にさらして上記おしぼりを加熱するおしぼり蒸し器において、上記収容部の下部の設けられた貯水室内に、一部連通孔を有する断熱壁によって取り囲まれた電熱器を配設した沸騰室を設けことを特徴とするおしぼり蒸し器である。
【考案の効果】
【０００８】  本考案によって、電熱器の発熱部の全表面から熱が水に直接伝わるので、熱の散逸は少なく、伝熱抵抗も小さくなり、熱効率は向上する。すなわち電熱器の容量を大きくすることなく、熱効率の改善によって蒸気速度を向上させ、おしぼり蒸しあがり時間を短縮する効果が得られる。
【考案を実施するための最良の形態】
【０００９】  本考案は、加湿、加温すべきおしぼりを収容した収容部に加熱水蒸気を供給し、この水蒸気にさらして上記おしぼりを加熱するおしぼり蒸し器において、電熱器を沸騰室内の水領域に配置し、また電熱器を沸騰室内の水領域に配置し、更に断熱壁によって電熱器を取り囲み、この内側の区画を沸騰室としたものである。
また、沸騰室を取り囲む上記断熱壁は、工具を用いることなく、指先の動きだけで容易に取付け・取外し出来るようにしたものである。
【実施例１】
【００１０】  本考案の実施例１を図１乃至図４に示す。図１乃至図４に示すように、装置の内部は蒸し室１２、貯水室１５、沸騰室１６の３区画に分かれている。蒸し室１２の上方を蓋１３で覆い、下方は多孔板１４によって仕切られている。多孔板１４の下には貯水室１５、沸騰室１６の２区画がある。そして、貯水室５と沸騰室６との間は、図３に示す断熱板１６ｂと囲枠１６ｃとを重ね合わせた断熱壁で仕切られている。【００１１】  この断熱壁を所定位置に設置すること、あるいはそこから撤去する際には工具を必要とせず単に指先の動きだけで目的を達成できるようになっている。即ち設置（取付け）は所定位置に静かに置くだけでもよいし、不慮の外力による所定位置から逸脱を防止するために念を入れるにしても、位置ぎめのための小さなノックピンや簡単なワンタッチ操作のクランプを用いる程度でよい。
沸騰室１６の水領域には電熱器１７を設置し、沸騰室１６と貯水室１５との間は、断熱壁下部の切欠１６ｄによって連通している。水中の電熱器１７には、外部の導線１７ａから給電する。【００１２】  このような装置において、まず蓋１３を開き、多孔板１４を取り除いて、上方から注水する。注水量は水面１５ａ、１６ａが断熱板１６ｂ、囲枠１６ｃの上縁を越えない程度にとどめる。
次に多孔板１４を所定位置に置き、その上におしぼり１１、１１、・・・を並べ、蓋１３を閉じて、電熱器１７に通電し発熱させる。電熱器１７の熱は、その発熱部の全表面から沸騰室１６内の水に伝わり加熱蒸発させる。その水蒸気は多数の貫通孔１４ａ、１４ａ、・・・を通って蒸し室１２に入り、そこに並んでいるおしぼり１１、１１、・・・を蒸す。【００１３】  沸騰室１６の水が蒸発すると、水面１５ａと水面１６ａとは同一水位になるべく、切欠１６ｄを通って貯水室１５の水が沸騰室１６に移動し、補給される。電熱器１７は沸騰室１６の少量の水だけを加熱するので、蒸発発生は迅速に行われ、蒸し室１２への蒸気の供給もすみやかである。
電熱器１７の外周や沸騰室１６の内側に湯垢等の汚れやゴミがたまったとき、断熱板１６ｂと囲枠１６ｃとの重ね合わさった断熱壁を取り出してその場所を開放し、電熱器１７の外周やその近傍、囲枠１６ｃの内面や切欠１６ｄ等をブラシ等で掃除する。【００１４】  本考案の実施例１によって、次の効果が得られる。
１）  電熱器７の発熱部の全表面から熱が水に直接伝わるので、熱の散逸は少なく、伝熱抵抗も小さくなり、熱効率は向上する。
２）  蒸気発生速度を高めるためには、沸騰室６の容積を小さくする必要があるが、狭くなると湯垢等の汚れやゴミを除去する作業がやりにくいという難点があった。本実施例１では、沸騰室６を構成する断熱壁を即座に取り外すことによって、狭い沸騰室６は開放され、湯垢等の汚れやゴミを除去する作業がやりやすい。
【実施例２】
【００１５】  一般に、水中に浸漬して使用するように設計された電熱器を空中に露出して使用するとその使用期間が著しく短くなる。従って、この実施例２は、カラ焚き防止の仕組みを実施例１に付加したものである。【００１６】  図５は、本考案の実施例２を示す正面断面図である。図５において、符号１１、１２、１２ａ、１３、１４、１４ａ、１５ａ、１６、１６ａ、１６ｂ、１６ｃ、１６ｄ，１７は、図１乃至図４における１１、１２、１２ａ、１３、１４、１４ａ、１５ａ、１６、１６ａ、１６ｂ、１６ｃ、１６ｄ，１７と均等物である。【００１７】  そして、図５に示すように、貯水室１５に隣接してフロート室２１を付設する。フロート室２１は下部の貫通孔２１ａによって、貯水室１５に連通している。フロート室２１では、フロート２２を浮かべる。フロート２２から上に支持棒２２ａが伸びている。支持棒２２ａは上下の動きは自由であるが水平方向の動きは拘束されるようにフロート室２１の外壁２１ｂから支持されている。従って、フロート室２１の水位が変化すると、フロート２２、支持棒２２ａは上下する。【００１８】  支持棒２２ａの上端に被検出体２３ａを取付けている。フロート室２１の外壁２１ｂの上部には近接スイッチ２３を固定している。近接スイッチ２３と被検出体２３ａとの相対位置は、電熱器７のカラ焚き防止に必要な下限水位になったとき近接スイッチ２３のＯＮ作動領域から外れるように調整しておく。
電熱器７への入力回路は、図示省略のリレーを介して近接スイッチ２３がＯＮのときに通電し、近接スイッチ２３がＯＦＦのとき電気を遮断するようにしている。【００１９】  このように構成された実施例２において、蒸気量が多くなると、沸騰室６、貯水室５、フロート室２１の水位は一様に降下し、遂に電熱器７のカラ焚き防止に必要な下限水位に至る。
このとき、フロート２２と共に降下を続けていた被検出体２３ａが近接スイッチ２３のＯＮ作動領域の外に出る。同時に図示省略のリレーにその信号が伝わり、電熱器７への入力は遮断され、カラ焚きを防止する。【００２０】  本考案の実施例２によって、おしぼり蒸し器のカラ焚きを防止することが出来る。
【産業上の利用可能性】
【００２１】  本考案は、理髪店や美容室に設置されるおしぼり蒸し器等にも適用される。
【図面の簡単な説明】
【００２２】
【図１】「本考案の実施例１を示した正面断面図である。」
【図２】「図１のＩＩ−ＩＩ矢視断面図である。」
【図３】「本考案実施例１の主要構成要素である断熱壁の斜視図である。」
【図４】「図１のＩＶ−ＩＶ矢視断面図である。」
【図５】「本考案の実施例２を示した正面断面図である。」
【図６】「従来装置を示した正面断面図である。」
【図７】「図６のＶＩＩ−ＶＩＩ矢視断面図である。」
【符号の説明】
【００２３】１  おしぼり
２  蒸し室
２ａ  側壁
３  蓋
４  多孔板
４ａ  貫通孔
５  貯水室
５ａ  水面
５ｂ  底板
５ｃ  貫通孔
６  沸騰室
６ａ  水面
６ｂ  底板
７  電熱器
８  連通管
１１  おしぼり
１２  蒸し室
１２ａ  側壁
１３  蓋
１４  多孔板
１４ａ  貫通孔
１５  貯水室
１５ａ  水面
１６  沸騰室
１６ａ  水面
１６ｂ  断熱板
１６ｃ  囲枠
１６ｄ  切欠
１７  電熱器
１７ａ  導線
２１  フロート室
２１ａ  貫通孔
２１ｂ  外壁
２２  フロート
２２ａ  支持棒
２３  近接スイッチ
２３ａ  被検出体
【図１】
0003105292.tif 000003
【図２】
0003105292.tif 000004
【図３】
0003105292.tif 000005
【図４】
0003105292.tif 000006
【図５】
0003105292.tif 000007
【図６】
0003105292.tif 000008
【図７】
0003105292.tif 000009